(57)【要約】【課題】  水素燃料電池による発電時に排出される水を発熱量の大きい部品の冷却用として利用するとともに、該水の処理を適切に行えるようにする。【解決手段】  燃料電池１とその発電によって得られる電気により動作される部品４，５，６を備えた電子機器１において、発熱する部品４，６上に保水シート１１，１２を付設する。また、燃料電池による発電時に排出される水を一時的に貯留する水タンク１０を設け、さらに保水シートに給水する手段１３，１４を設ける。そして、保水シートに保水された水が蒸発する際に生じる気化熱を利用して該部品を冷却し、また水を蒸発させて処理する。【選択図】        図１
2007073396.tif 000002
【特許請求の範囲】
【請求項１】
燃料電池とこの燃料電池による発電によって得られる電気により動作される部品を備えた電子機器において、
発熱する部品上に付設される保水シートを備えるとともに、
燃料電池による発電時に排出される水を前記保水シートに給水する手段を設け、
この保水シートに保水された水が蒸発する際に生じる気化熱を利用して該部品を冷却するように構成したことを特徴とする燃料電池を備えた電子機器における冷却装置。
【請求項２】
請求項１記載の燃料電池を備えた電子機器における冷却装置において、
燃料電池からの排水を一時的に貯留する水タンクを備え、
この水タンクから水を保水シートに給水するように構成したことを特徴とする燃料電池を備えた電子機器における冷却装置。
【発明の詳細な説明】
【技術分野】
【０００１】
本発明は水素を燃料とする燃料電池を備えた電子機器の冷却装置に関し、特に燃料電池によって発電を行う際に生じる水の廃棄処理を、高速動作することで発熱する部品を気化熱で冷却することで効果的に行えるようにした燃料電池を備えた電子機器における冷却装置に関する。
【背景技術】
【０００２】
従来から水素を燃料とする燃料電池を用いて発電を行い、電子部品等を動作させるようにした電子機器が知られている（例えば、特許文献１参照）。
このような電子機器では、燃料電池を動力源として、または補助動力源として用いて動作されるようになっている。
【０００３】
【特許文献１】特開２００５−１０８７１８
【発明の開示】
【発明が解決しようとする課題】
【０００４】
ところで、上述した燃料電池を用いて発電を行う電子機器等においては、燃焼による発電の際に排出される水については、たとえば排水管を用いて機器外部に廃棄することが一般的であった。しかし、発電時に生じる水を単純に排水処理することができない電子機器もあり、何らかの対策を講じることが望まれている。
【０００５】
また、上述した電子機器等によれば、内部に組み込んだ部品の発熱量が大きい場合に、その冷却手段を設ける等の対策を講じることも望まれている。ここで、上述した特許文献１では、発熱する電子部品等の冷却を、燃料電池の燃料供給路での熱交換によって行うことが記載されているが、構造が複雑で、取付け性の面でも面倒であり、コスト高を招く等の欠点があった。
【０００６】
本発明はこのような事情に鑑みてなされたものであり、水素を燃料とする燃料電池による発電時に排出される水を発熱量の大きい部品の冷却用として利用するとともに、該水の処理を適切に行える燃料電池を備えた電子機器における冷却装置を得ることを目的とする。
【課題を解決するための手段】
【０００７】
このような目的に応えるために本発明（請求項１記載の発明）に係る燃料電池を備えた電子機器における冷却装置は、燃料電池とこの燃料電池による発電によって得られる電気により動作される部品を備えた電子機器において、発熱する部品上に付設される保水シートを備えるとともに、燃料電池による発電時に排出される水を前記保水シートに給水する手段を設け、この保水シートに保水された水が蒸発する際に生じる気化熱を利用して該部品を冷却するように構成したことを特徴とする。
【０００８】
本発明（請求項２記載の発明）に係る燃料電池を備えた電子機器における冷却装置は、請求項１記載の燃料電池を備えた電子機器における冷却装置において、燃料電池からの排水を一時的に貯留する水タンクを備え、この水タンクから水を保水シートに給水するように構成したことを特徴とする。
【０００９】
本発明によれば、燃料電池の発電時に排出される水を、水タンクに一時的に貯留するとともに、該水を給水パイプにより発熱部品に付設した保水シートに、該保水シートが乾燥しない程度に給水することにより、該保水シート中の水が気化する気化熱によって発熱部品の冷却を行うとともに、水を蒸発させて放出処理することができる。
【発明の効果】
【００１０】
以上説明したように本発明に係る燃料電池を備えた電子機器における冷却装置によれば、本来であれば、排水管を準備して廃棄処理しなければならなかった燃料電池の発電時に生じる水を、発熱量が多い電子部品の熱を利用して気化させることにより、該部品の過度の加熱を防止して所要の状態で冷却することができると共に、水を蒸発させて廃棄処理することが可能である等の種々優れた効果を奏する。
【発明を実施するための最良の形態】
【００１１】
図１は本発明に係る燃料電池を備えた電子機器における冷却装置の一実施形態を示す。図において、符号１は水素を燃料とし水素と空気（酸素）を用いて発電を行う水素燃料電池であり、この水素燃料電池１は、発電によって電気を得るとともに、その結果として水を排出するようになっている。
【００１２】
２は上記水素燃料電池１により得られる電気を、動力源または補助動力源として用いる電子機器であり、基板３上に電子部品４，５，６等を実装することで構成されている。ここで、これらの電子部品４，５，６のうち、電子部品４，６が動作時において特に発熱量が大きい部品であるとする。
【００１３】
本発明によれば、このような水素燃料電池１を備えた電子機器２において、燃料電池１の発電時に生じる水の排水処理を、上記の電子部品４，６等を冷却するために利用するとともに、蒸気として蒸発させることで行うように構成したところを特徴としている。
【００１４】
すなわち、１０は上記水素燃料電池１の発電時に排出される水を一時的に貯留する水タンク、１１，１２は上記の発熱量が大きい電子部品４，６に付設された保水シートであり、これらの保水シート１１，１２に対して上記の水タンク１０から給水パイプ１３，１４により貯留水を順次給水するように構成されている。
ここで、上記の保水シート１１，１２としては、給水される水を効率よく保水できる構成をもつものであればよい。
【００１５】
このような構成によれば、水素燃料電池１による発電の結果として排出される水は、水タンク１０に一時的に貯留されるとともに、電子機器２における発熱量が大きい電子部品４，６に付設した保水シート１１，１２に順次給水されて保水されることになる。そして、このように保水シート１１，１２に保水された水が気化する際に電子部品４，６から熱を奪うことによって該電子部品４，６を冷却するとともに、該水は蒸発して放散されることになる。
なお、このような水の気化および電子部品４，６の冷却をより一層効率よく行えるようにファン等を付設し、空冷効果を作用させるようにするとよい。
【００１６】
したがって、このような構成では、水素燃料電池１による発電時に排出される水を有効に活用し、電子機器２の電子部品４，６等の冷却を行うとともに、該水を蒸発させることで処理することができるのである。
【００１７】
ここで、上述した水素燃料電池１の発電時に排出される水の量や電子機器２側での発熱量等によっては異なるが、冷却のために保水シート１１，１２に給水する水の量が少ないときは、水タンク１０に水道水等を適宜給水するように構成してもよい。
【００１８】
なお、本発明は上述した実施の形態で説明した構造には限定されず、各部の形状、構造等を適宜変形、変更し得ることはいうまでもない。たとえば水素燃料電池１として具体的な構成についての説明は省略したが、使用する電子機器２側の大きさに応じて準備される適宜の構造をもつものであればよい。さらに、電子機器２としても、図１等に示したものに限らず、適宜の構造をもつものであればよく、発熱量の大きい電子部品等としても種々のものが考えられる。
【００１９】
また、水タンク１０としても、使用するシステム全体の大きさに応じた大きさをもつもであればよく、保水シート１１，１２としても、給水される水を適宜の状況で保水できるものであればよい。
【図面の簡単な説明】
【００２０】
【図１】本発明に係る燃料電池を備えた電子機器における冷却装置の一実施の形態を示す概略構成図である。
【符号の説明】
【００２１】
１…水素燃料電池、２…電子機器、３…基板、４，５，６…電子部品、１０…水タンク、１１，１２…保水シート、１３，１４…給水パイプ。
【図１】
2007073396.tif 000003